(57)【特許請求の範囲】
【請求項１】
検体のメタフェーズを展開させるスライドグラスを載置するとともに安定な熱量を付与する恒温ブロック本体および前記恒温ブロック本体の底面に配設された熱伝達部からなる恒温ブロックと、
前記熱伝達部の一部を浸漬させる水を貯留させる貯留槽および前記貯留槽に貯留される水を適温に加熱するヒータからなる加熱手段と、
前記貯留槽の上部開口部の全面を覆うように配設され、前記恒温ブロック本体の上面を略水平に露出させるようして支承するとともに、前記恒温ブロック本体の近傍には前記スライドグラスに検体のメタフェーズを展開させる閉空間の乾燥度を計測するための温度センサおよび湿度センサが配設され、さらに、当該面板によって仕切られる両空間を連通可能とする第１湿度調整板が形成された面板と、
前記面板を底面とした閉空間を形成した状態における周壁と天井壁とから構成され、当該標本スライド作製装置１の内外を連通可能とする第２湿度調整板と、前記恒温ブロックに載置されるスライドグラスに検体となる細胞浮遊液を滴下可能とされた滴下ピペットが配設された展開部カバーと、
を有することを特徴とする標本スライド作製装置。
【請求項２】
矩形状の外枠ケースと、
前記外枠ケースの一対の側壁間の上部中央に帯状に配置され、検体のメタフェーズを展開させるスライドグラスを載置するとともに安定な熱量を付与する恒温ブロック本体と、
前記恒温ブロック本体の裏面に配設され、加熱手段を構成するウォーターバス内に立脚され、前記恒温ブロック本体を介してスライドガラスに前記ウォーターバス内に貯留される適温水から安定な熱量を付与する熱伝導フィンからなる熱伝達部と、
前記恒温ブロック本体の一側方に形成される外枠ケースと前記恒温ブロックとの間の空隙を埋めるようにして、前記外枠ケースの側壁と連接させて一体形成されており、前記スライドグラスに検体のメタフェーズを展開させる閉空間の乾燥度を計測するための温度センサおよび湿度センサが配設された上板と、
前記恒温ブロック本体の他側方に形成される前記外枠ケース本体と恒温ブロックとの間の間隙に、開閉自在に設けられた第１加湿調整板と、
前記前記恒温ブロック本体、上板および第１加湿調整板を底面とした閉空間を形成した状態における周壁と天井壁とから構成され、当該標本スライド作製装置の内外を連通可能とする第２湿度調整板と、前記恒温ブロックに載置されるスライドグラスに検体となる細胞浮遊液を滴下可能とされた滴下ピペットとが配設された展開部カバーと、
前記熱伝達部の一部と前記外枠ケースの全周下端部とを浸漬させる適温水を貯留させるウォータバスと、前記ウォータバスに貯留される水を適温に保持するヒータとからなる加熱手段と、
を有することを特徴とする標本スライド作製装置。
【請求項３】
遠心回転機構と、前記遠心回転機構に配設された複数個の揺動バケットに保持されたスピッツと、前記スピッツ内に液状試薬を注入可能とされた１乃至複数の給液用ピペットと、前記給液用ピペットに試薬ボトル内の液体を送給するための輸送ポンプと、前記スピッツ内から液状物を排出する廃液用ピペットと、廃液用ピペットから廃液を吸出して廃液タンク内に排出するための廃液ポンプと、各スピッツを把持して上下動させる撹拌上下機構と前記揺動バケットを正逆方向に軸回転させる駆動手段とを有する攪拌機構とを備えた遠心分離機と、
前記遠心分離機を用いて収穫した検体を、前記恒温ブロックに載置されたスライドグラス上に滴下可能とされたＸＹＺ可動型ピペット機構と、
を有することを特徴とする請求項１または請求項２に記載の標本スライド作製装置。
【請求項４】
前記温度センサが検出した温度値における飽和水分値を、メモリに管理された同条件下における飽和水分値を参照して出力する飽和水分値検出ユニットと、
前記飽和水分値検出ユニットにおいて求められた飽和水分値と、前記湿度センサの実測の絶対湿度値とを用いて、
乾燥度［Idry］＝飽和水分値［Ws］−絶対湿度値［AbsH］
の算出式に従い、乾燥度の値を出力する乾燥度演算ユニットと
を備えたことを特徴とする請求項１乃至３の何れか１項に記載の標本スライド作製装置。
【発明の詳細な説明】
【０００１】
【発明の属する技術分野】
本発明は細胞や染色体の標本スライドを作製するときに検体を標本スライドに固定するための標本スライド作製装置に係り、特に、一定の広がりを持った適正な形状のメタフェーズを有する標本スライドを作製する標本スライド作製装置に関する。本発明は、有核細胞のスライド標本の作製に有用なものである。
【０００２】
【従来の技術】
一般に、染色体検査の工程は、通常、細胞培養（第１工程）、細胞収穫と染色体標本スライドの作製（第２工程）、分染法による染色体バンドの染色（第３工程）、顕微鏡写真撮影（第４工程）、核型分析（第５工程）の５段階に分けられる。本発明の標本スライド作製装置は、前記第２工程で行われる、主として細胞収穫と染色体標本スライドの作製を対象としている。
【０００３】
この第２工程である細胞収穫と染色体標本スライドの作製は、第１工程で培養した細胞にコルセミドを作用させた分裂中期にある細胞、つまりメタフェーズを低張処理した後、物理的ショックを与えて細胞膜や核膜を破壊させ、球体である核の中に存在していた染色体をスライドグラス上に展開させる工程であり、前記メタフェーズが標本として適正形状に広がった標本スライドを作製することが必要とされている。標本スライドが美しいものに仕上がらなければ、それ以降の染色体バンドの染色等の作業が全て著しく困難なものとなるからである。
【０００４】
更に詳しく説明すると、従来の染色体標本スライド作製は、染色体を含む細胞浮遊液を手操作により、スライド上に滴下して、球体である核の中に存在していた染色体をスライドグラス上に展開させ、固定させるようになっている。すなわち、従来の染色体標本スライド作製においては、各種固定方法が職人芸のごとく実施されているのが現状である。
【０００５】
前記手操作による方法としては、例えば図１９から図２２に示す方法がある。図１９に示す火炎固定方法においては、スライドグラスからなる標本スライド１上にピペット２から細胞浮遊液３を図中符号４に示すように滴下させて拡げ、その後すばやく標本スライド１をバーナ５からの火炎内を通過させてメタノールに引火させ、細胞浮遊液３の液分を蒸発させて標本を作製している。
【０００６】
また、図２０に示す蒸気固定方法においては、図１９と同様にして細胞浮遊液３を滴下した標本スライド１を、過熱器６によって加熱され容器７から蒸発している蒸気８に近づけて液を蒸発させ、細胞浮遊液３の液分を蒸発させて標本を作製している。
【０００７】
また、図２１に示す高温多湿下の固定方法においては、ホットプレート９によって加熱されている濡れ紙タオル１０から発生する高温多湿状態の中にスライドグラス１ａを置き、その上に図１９と同様にして細胞浮遊液３を図中符号４に示すように滴下させて拡げて、細胞浮遊液３の液分を蒸発させて標本を作製している。
【０００８】
さらに、図２２に示す高所から滴下する常温の固定方法においては、作業台上に載置されたスライドグラス１ａ上に、数ミリメートルの高さから、時には約１．５メートルの高さから細胞浮遊液３を図中符号４に示すように滴下させて拡げて、細胞浮遊液３の液分を蒸発させて標本を作製している。
【０００９】
そして、これらの方法は、細胞浮遊液３の染色体のメタフェーズを適正形状とするためには熟練が必要であり、また、いずれも偶発的な要素を含み、画一的な標本スライドを作製することが難しく、誰にでもできるという操作方法ではなかった。つまり、これらの方法において、検体として適当な固定結果を得るための最適条件は判明されておらず、その固定要領は、操作する研究者等の経験に基づいた、いわばノウハウに頼るものであるのが現状であった。
【００１０】
【発明が解決しようとする課題】
このように職人技的に作製する前述のような従来の標本スライドの作製においては、染色体メタフェーズが標本として適当な形状に広がった標本スライドを作製することが、経験の浅い技術者には大変困難であることはいうまでもない。そして、これらの方法は操作条件の再現性に乏しく、試験者が手作業で行うため、標本スライドの品質の安定性に問題があった。
【００１１】
本発明は、これらの点に鑑みてなされたもので、標本スライドの作製方法に係る関連パラメータとしての乾燥度を制御することによって、誰にでも検体として適当な標本スライドを作製でき、その標本スライドの品質が安定しており、更に大量生産をも可能とする標本スライド作製装置とを提供することを目的とする。
【００１２】
【課題を解決するための手段】
本発明者等は、前記目的を達成するために鋭意研究し、適正な乾燥環境をもって液状検体を乾燥させることにより適正形状のメタフェーズの生成が可能であることを発見して本発明を完成させた。
【００１３】
そして、この本発明の請求項１に係る標本スライド作製装置は、検体のメタフェーズを展開させるスライドグラスを載置するとともに安定な熱量を付与する恒温ブロック本体および前記恒温ブロック本体の底面に配設された熱伝達部からなる恒温ブロックと、前記熱伝達部の一部を浸漬させる水を貯留させる貯留槽および前記貯留槽に貯留される水を適温に加熱するヒータからなる加熱手段と、前記貯留槽の上部開口部の全面を覆うように配設され、前記恒温ブロック本体の上面を略水平に露出させるようして支承するとともに、前記恒温ブロック本体の近傍には前記スライドグラスに検体のメタフェーズを展開させる閉空間の乾燥度を計測するための温度センサおよび湿度センサが配設され、さらに、当該面板によって仕切られる両空間を連通可能とする第１湿度調整板が形成された面板と、前記面板を底面とした閉空間を形成した状態における周壁と天井壁とから構成され、当該標本スライド作製装置１の内外を連通可能とする第２湿度調整板と、前記恒温ブロックに載置されるスライドグラスに検体となる細胞浮遊液を滴下可能とされた滴下ピペットが配設された展開部カバーと、を有することを特徴とする。
【００１４】
また、請求項２に係る標本スライド作製装置は、矩形状の外枠ケースと、前記外枠ケースの一対の側壁間の上部中央に帯状に配置され、検体のメタフェーズを展開させるスライドグラスを載置するとともに安定な熱量を付与する恒温ブロック本体と、前記恒温ブロック本体の裏面に配設され、加熱手段を構成するウォーターバス内に立脚され、前記恒温ブロック本体を介してスライドガラスに前記ウォーターバス内に貯留される適温水から安定な熱量を付与する熱伝導フィンからなる熱伝達部と、前記恒温ブロック本体の一側方に形成される外枠ケースと前記恒温ブロックとの間の空隙を埋めるようにして、前記外枠ケースの側壁と連接させて一体形成されており、前記スライドグラスに検体のメタフェーズを展開させる閉空間の乾燥度を計測するための温度センサおよび湿度センサが配設された上板と、前記恒温ブロック本体の他側方に形成される前記外枠ケース本体と恒温ブロックとの間の間隙に、開閉自在に設けられた第１加湿調整板と、前記前記恒温ブロック本体、上板および第１加湿調整板を底面とした閉空間を形成した状態における周壁と天井壁とから構成され、当該標本スライド作製装置の内外を連通可能とする第２湿度調整板と、前記恒温ブロックに載置されるスライドグラスに検体となる細胞浮遊液を滴下可能とされた滴下ピペットとが配設された展開部カバーと、前記熱伝達部の一部と前記外枠ケースの全周下端部とを浸漬させる適温水を貯留させるウォータバスと、前記ウォータバスに貯留される水を適温に保持するヒータとからなる加熱手段と、を有することを特徴とする。
【００１５】
そして、請求項３に記載の標本スライド作製装置は、請求項１または請求項２に記載の標本スライド作製装置であって、遠心回転機構と、前記遠心回転機構に配設された複数個の揺動バケットに保持されたスピッツと、前記スピッツ内に液状試薬を注入可能とされた１乃至複数の給液用ピペットと、前記給液用ピペットに試薬ボトル内の液体を送給するための輸送ポンプと、前記スピッツ内から液状物を排出する廃液用ピペットと、廃液用ピペットから廃液を吸出して廃液タンク内に排出するための廃液ポンプと、各スピッツを把持して上下動させる撹拌上下機構と前記揺動バケットを正逆方向に軸回転させる駆動手段とを有する攪拌機構とを備えた遠心分離機と、前記遠心分離機を用いて収穫した検体を、前記恒温ブロックに載置されたスライドグラス上に滴下可能とされたＸＹＺ可動型ピペット機構と、を有することを特徴とする。
【００１６】
また、請求項４に記載の標本スライド作製装置は、請求項１乃至３の何れか１項に記載の標本スライド作製装置において、前記温度センサが検出した温度値における飽和水分値を、メモリに管理された同条件下における飽和水分値を参照して出力する飽和水分値検出ユニットと、前記飽和水分値検出ユニットにおいて求められた飽和水分値と、前記湿度センサの実測の絶対湿度値とを用いて、
乾燥度［Idry］＝飽和水分値［Ws］−絶対湿度値［AbsH］
の算出式に従い、乾燥度の値を出力する乾燥度演算ユニットとを備えたことを特徴とする。
【００１７】
【００１８】
これらの標本スライド作製装置によれば、検体の標本スライド作製の最適な固定に係る制御パラメータのうち、特に滴下細胞浮遊液の乾燥度を制御することにより、誰にでも、最適な細胞または染色体固定を有するスライド標本を作製することができる。
【００１９】
【発明の実施の形態】
まず、本発明の標本スライド作製装置を用いる標本スライド作製方法について説明する。
【００２０】
本発明の標本スライド作製装置を用いる標本スライド作製方法は、検体となる細胞浮遊液を展開させる閉空間における乾燥度を制御する点に特徴を有するものである。
【００２１】
そして、本実施形態において乾燥度を制御するにあたり、乾燥度を計測する必要がある。ここで、乾燥度の計測方法とは、環境の空気がどれほどの水分を含むことができるかという値を計測することであり、この値は、環境の実水分量と飽和時の水分量から算出することができる。
【００２２】
この乾燥度計測は温度および絶対湿度値をもって算出することができる。その算出方法は、
乾燥度[Idry] = 飽和水分値[Ws] − 絶対湿度値[AbsH]
乾燥度[Idry]    ：乾燥度（g/m3）
飽和水分量[Ws]  ：温度T℃における飽和水分値（g/m3）
絶対湿度値[AbsH]：絶対湿度値（g/m3）
となる。
【００２３】
本実施形態においては、図１に示すように、細胞浮遊液を滴下させる標本スライド１の表面温度と前記細胞浮遊液の展開環境である空気中の温度の適当配分値を示す場所に温度センサ１１を配置し、また、前記展開環境中に湿度センサ１２を配置して、前記温度センサ１１が検出した温度値における飽和水分値を出力するように構成された検出回路（飽和水分値検出ユニット）１３の出力値と、前記湿度センサ１２の実測の絶対湿度値とを用いて、前述の算出式に従い、乾燥度の値を乾燥度の制御回路（乾燥度演算ユニット）１４が出力し、表示器１６に表示するように構成されている。なお、図１においては、前記温度センサおよび湿度センサは、両機能を併有する乾燥度センサ１５として表示している。
【００２４】
ここで、前記乾燥度は、液体に与えるエネルギーとその液体が気化したものを環境がどれだけ空気中に含むことができるかという２つの要素からなる。
【００２５】
当該標本スライド作製において与えるエネルギーとは熱エネルギーである。一定の熱エネルギーを与えるためには、細胞浮遊液３を滴下するスライドグラス１ａの表面温度を一定に保つことによって実現でき、このためスライドグラス１ａの表面の恒温化は大切な要素である。
【００２６】
また、この液体を環境としての空気中にどれだけ含むことができるかは、気化した液体の蒸気圧によって決定される。気体が混合物である場合は、この蒸気圧が混合気体の割合により変化する。本実施形態の標本スライド作製に用いる細胞浮遊液３は、酢酸とメタノールの混合液体であるカルノア固定液であり、２種類の液体が気化する。本実施形態が示す乾燥度制御では、このカルノア固定液の蒸発量を制御するために、蒸発環境の水蒸気量を制御要素としている。
【００２７】
そして、前記細胞浮遊液３の展開環境の水蒸気量を制御して、標本スライド作製に最適な湿度の環境を作り、メタノール・酢酸および水の蒸気圧の平衡により、滴下細胞浮遊液の乾燥度を最適な状態に保つことにより、最適な細胞または染色体固定を有する標本スライド１を作製する。
【００２８】
具体的には、前記乾燥度は、細胞浮遊液３を所定の供給量、即ち検体の所定の滴下液量値とし、検体作製時に付与されたカルノア液を所定の酢酸濃度値として固定した場合の前記温度値における飽和水分値の出力値と、実測の絶対湿度値とを用いて前述の算出式に従って値が求められる。この計測した温度値における飽和水分値は、前述した細胞浮遊液３の供給量、カルノア液の酢酸濃度値を変更した場合を含めて、いくつかのパターンで予め算出しておき、ＲＯＭ等のメモリ（図示せず）に管理しておくこととし、前述の飽和水分値検出ユニット１３はこのメモリを参照するように構成されている。
【００２９】
例えば、この乾燥度は、前記細胞浮遊液３の供給量を０．０４ｍｌ、カルノア液の酢酸濃度値を３：１（メタノール：酢酸））と固定した場合において、温度値が３０℃の場合には５〜１０ｇ／ｍ2、望ましくは７ｇ／ｍ2とし、この数値を得るべく、蒸発環境の水蒸気量を制御する。
【００３０】
ここで、乾燥度が細胞の広がりにどのように関係するかを図２乃至図７を用いて説明すると、乾燥度が低ければ細胞浮遊液３は広がり、逆に、乾燥度が高ければ細胞浮遊液３は小さく留まるということができる。
【００３１】
滴下後の細胞は様々な方向に液流とともに移動するが、カルノア固定液の蒸発とともにスライドグラス１ａの表面に付着する。スライドグラス１ａに付着された細胞が広がる場合、初めに細胞膜はカルノア固定液の表面張力によって壊され、染色体等の内容物を含んだ内部溶液が流動を始める。
【００３２】
しかし、細胞サイズではレイノルズ数（＝（慣性力／粘性力）＝（密度／粘度）×（長さ）×（速度））が非常に小さく、この領域では内部溶液の粘性が高くなるために流動速度が非常に小さい状態を呈する。
【００３３】
細胞の内部溶液は大きな粘性を持つ流体と考えられる（例、白血球の内部粘度：13Pa・s）。滴下された細胞浮遊液の液面が乾燥によって低下する速度に比べて、細胞内液の流動速度が遅いと、図３および図４に示すように、細胞の展開が小さい状態で固定される。そして、この乾燥速度が適当な場合に、図５および図６に示すような最適な広がりを得ることができる。また、乾燥速度が遅い（乾燥度が低い）場合は、図７に示すように、広がりすぎて細胞内物質である染色体が一カ所にとどまらずに分散してしまい、ゲノム等の解析等には適さない標本となってしまう。
【００３４】
本実施形態の標本スライド作製方法においては、細胞または染色体標本スライド作製の最適な固定に係る制御パラメータのうち、特に、滴下された細胞浮遊液３の乾燥度を制御することにより、誰にでも、図５および図６に示すような最適な細胞または染色体固定を有するスライド標本を作製することができるものとなる。
【００３５】
続いて、前述の標本スライドの作製方法を具体的に説明する。
【００３６】
まず、検体となる細胞浮遊液３は予め培養し、その後に低張処理およびカルノア固定処理をして作製しておく。なお、前述のように、本実施形態の標本スライド作製に用いる細胞浮遊液３は、酢酸とメタノールの混合液体であるカルノア固定液とする。
【００３７】
一方で、前記カルノア固定液を細胞浮遊液３として展開させるその環境中に配置された温度センサ１１および湿度センサ１２により、展開環境内の温度値および湿度値を計測し、前記飽和水分値検出ユニット１３において、細胞浮遊液３の供給量、即ち、検体の滴下液量値および検体作製時に付与されたカルノア液酢酸濃度値に基づいた前記温度値における飽和水分値の出力値を求め、続いて、乾燥度演算ユニット１４において、この飽和水分値の出力値と実測の絶対湿度値とを用いて前述の算出式に従って乾燥度の値を求め、この乾燥度を表示器１６において常時、出力する。
【００３８】
そして、この出力された乾燥度の数値を、検体の固定に最適な数値とするように、前記展開環境の乾燥度の調整を行なう。具体的には、前記展開環境内を開放して、その湿気を展開環境内から放出して前記展開環境内の湿度を下げたり、あるいは、前記展開環境内を加湿したり、場合によっては展開環境内を加熱・冷却してその温度値における飽和水分値を変化させ、最も適した乾燥度を得られるように調整を行なう。
【００３９】
そして、このように整えられた環境下において、前記細胞浮遊液３の所定量を閉空間とされた展開環境内に設置されている標本スライド１の上面に滴下させ、一定時間放置する。このようにして形成される閉空間内の乾燥雰囲気により、標本スライド１上に、検体として最適な検体を展開・固定させることができる。
【００４０】
次に、前述の標本スライド作製方法を実施するための装置について、具体的に説明する。
【００４１】
図８は本発明の標本スライド作製装置の第１実施形態の基本構成を示す要部断面概略図である。
【００４２】
本実施形態の標本スライド作製装置１７の本体は、スライドグラス１ａを載置するとともに前記スライドグラス１ａに安定な熱量を付与する恒温ブロック１８と、この恒温ブロック１８を支承する面板１９と、前記面板１９上に前記スライドグラス１ａに検体のメタフェーズを展開させる環境を閉空間として形成しうる展開部カバー２０と、前記面板１９に支承されている恒温ブロック１８を介して検体となる細胞浮遊液３を適温に温度制御する加熱手段２１とを有している。
【００４３】
本実施形態において、前記恒温ブロック１８は、長方体状の恒温ブロック本体１８ａと、前記恒温ブロック本体１８ａの底面に一体に略垂直かつ平行に配列形成された複数枚の板状フィンからなる熱伝達部１８ｂとからなり、本実施形態においては恒温ブロック１８全体が熱伝導率の良好な金属として、アルミニウムにより十分な熱容量と大きさに形成されている。前記恒温ブロック本体１８ａはその上面を略水平に露出させるようして前記面板１９に支承されている。そして、恒温ブロック本体１８ａの上面には、１乃至複数のスライドガイド２２が形成されており、このスライドガイド２２に案内されて１乃至複数枚のスライドグラス１ａを載置可能に形成されている。
【００４４】
また、前記面板１９には、後述する貯留槽の内外を連通可能とする第１湿度調整板２３が形成されている。またさらに、前記面板１９上の恒温ブロック本体１８ａの近傍には、前記スライドグラス１ａに検体のメタフェーズを展開させる閉空間の乾燥度を計測するための乾燥度センサ１５が配設されている。この乾燥度センサ１５は、前述の乾燥度の算出に必要なデータとしての前記閉空間の温度および湿度を計測可能なセンサを有するものである。
【００４５】
また、前記展開部カバー２０は、前記恒温ブロック１８を支承する面板１９を底面とした閉空間を形成した状態における周壁（側面）２０ａと天井壁（上面）２０ｂとから構成されており、前記展開部カバー２０の天井壁２０ｂで展開部カバー２０を閉状態とした状態で前記第１湿度調整板２３と対向する部分には、当該標本スライド作製装置１の内外を連通可能とする第２湿度調整板２４が形成されている。また、前記天井壁２０ｂには、前記恒温ブロック１８に載置されるスライドグラス１ａの中央部に検体となる細胞浮遊液３を滴下可能にその先端を位置させた滴下ピペット２５が配設されている。
【００４６】
前記加熱手段２１は前記面板１９の下方に配設されており、前記恒温ブロック１８の一部を浸漬させる水を貯留させる貯留槽２６および前記貯留槽２６に貯留される水を適温に加熱するヒータ２７とからなる定温水槽部とされている。前記貯留槽２６は、その外周壁２６ａおよび底壁２６ｂを断熱材により構成されており、貯留槽２６の外周壁２６ａ下部には、貯留された水を排出するための排出手段としての排水用コック２８が設けられている。また、本実施形態においては、前記ヒータ２７に対しては、手動により通電のＯＮ・ＯＦＦを切替可能とされるほか、後述の乾燥度制御ユニット（図示せず）により自動的に、通電のＯＮ・ＯＦＦ管理タイマー管理などを行ない、加熱制御がされうるように構成されている。そして、前記貯留槽２６の上部開口部はその全面を覆うように前記面板１９が配設されており、熱伝達部１８ｂを構成する板状フィンの下端部は、前記貯留槽２６内に貯留される適温水２９に浸漬されている。
【００４７】
また、本実施形態の標本スライド作製装置１７には、その周辺装置として、ポンプ制御ユニット（図示せず）、前述の飽和水分値検出ユニット１３、乾燥度演算ユニット１４、および、手動／自動制御切替器（図示せず）を通し、前記切替機が自動の場合に各種制御を行なう乾燥度制御ユニットが配設されている。
【００４８】
前記ポンプ制御ユニットは、このユニットに設けられ供給ポンプ（ 図示せず）によって、予め培養され、低張処理をして作製された細胞浮遊液３の所定量が搬送管（図示せず）を通して送出され、閉空間内に設置されている滴下ピペット２５を通して標本スライド１上面に滴下供給するようになされている。
【００４９】
また、前記飽和水分値検出ユニット１３は、前記メモリを参照することにより、前記温度センサ１１により得た温度における飽和水分値を検出するようになされている。また、乾燥値演算ユニット１４は、前記飽和水分値と、湿度センサ１２により得た数値に基づいて、前述の算出式に従って演算された展開環境の乾燥度を出力して、表示器１６へ出力表示するとともに、前記手動／自動制御切替器が自動を選択されている場合には、前記乾燥度制御ユニットの制御を開始させるようになされている。
【００５０】
また、乾燥度制御ユニットにおいては、乾燥値演算ユニット１４において演算された乾燥度の結果を参照しつつ、この乾燥度の値を検体の展開環境として最適な乾燥値を示すように、前記定温水槽内のヒータ２７への通電のＯＮ・ＯＦＦやタイマー２７ａを制御し、第１湿度調節板２３及び第２湿度調節板２４の開閉を自動とする機構を有する場合には、その開閉をも制御するように構成されている。
【００５１】
次に、本実施形態の標本スライド作製装置を用いた標本スライドの作製方法について簡単に説明する。
【００５２】
まず、スライドグラス１ａを加熱状態にある恒温ブロック本体１８ａの上面に前記スライドガイド２２の案内に従って載置する。次に、展開部カバー２０を閉じて、検体のメタフェーズを展開させる展開環境を閉空間とし、その状態で、ポンプ制御ユニットの供給ポンプにより所定量の細胞浮遊液３を送出して滴下ピペット２５を通してスライドグラス１ａの上面に滴下させ、検体のメタフェーズを展開させる。
【００５３】
このとき、閉空間とされた展開環境内においては、貯留槽２６内に配置されたヒータ２７に通電して貯留槽内に貯留された水を適温に加熱して適温水２９とし、この適温水２９にその下端部を浸ける熱伝達部１８ｂを構成する板状フィンを通して恒温ブロック本体１８ａ表面を適温に加熱する。それとともに、本実施形態においては、前記飽和水分値検出ユニット１３および乾燥度演算ユニット１４において算出され、表示器１６に表示された乾燥度を確認しつつ、展開環境内の湿度を検体の展開に最適な乾燥度となるように調整する。本実施形態においては、具体的には、前記第１湿度調整板２３の開閉を制御して、貯留槽２６内の適温水２９により、貯留槽２６内に充満する過分な湿度を展開環境へ流通させることにより、常時管理されている前記乾燥度の数値を設定値とするように調整したり、あるいは、第２湿度調整板２４の開閉を制御して、低い湿度とされた標本スライド作製装置１本体外と流通させることにより乾燥度を適切な値とするように制御する。このとき、必要であれば、前記ヒータ２７に通電し、適温水２９の温度調整や水蒸気の発生・加湿を行うようにする。なお、前記手動／自動制御切替器を通し、前記切替機が自動の場合には、この第１湿度調整板２３および第２湿度調整板２４の開閉を自動に行い得るように構成し、前記乾燥度制御ユニットを介して制御することもできることは前述の通りである。
【００５４】
そして、このようにして整えられた展開環境内の乾燥雰囲気により標本スライド１上の検体を乾燥させる。
【００５５】
このように標本スライド１の作製方法に係る関連パラメータとしての乾燥度を制御することによって、検体のメタフェーズを確実に適正形状とすることができ、誰にでも適正な標本スライド１を作製することができ、しかも標本スライド１の品質が安定することとなる。
【００５６】
続いて、図９乃至図１１は本発明の標本スライド作製装置の第２実施形態の基本構成を示す要部概略図である。
【００５７】
本実施形態の標本スライド作製装置３１の前記実施形態と特に異なる点は、恒温ブロック１８を温度制御する定温水槽部として、前記貯留槽２６の代わりに既製品であるウォーターバス３２を用いて制御する構成とされている点にある。以下、前述の標本スライド作製装置１７と異なる構成部分についてのみ簡単に説明する。なお、前記実施形態の標本スライド装置１７と同様の部材については同符号を用い、説明を省略する。
【００５８】
本実施形態の標本スライド作製装置３１は、スライドグラス１ａに検体を展開する展開装置３３と、前述のウォーターバス３２とを有している。
【００５９】
前記展開装置３３は、矩形状の外枠ケース３３ａを有しており、この外枠ケース３３ａは、一対の側壁間の上部中央に帯状に配置された恒温ブロック１８と、この恒温ブロック１８の一側方に形成される前記外枠ケース３３ａと恒温ブロック１８との間の空隙を埋めるようにして、前記外枠ケース３３ａの側壁と連接させて一体形成された上板３４と、この恒温ブロック１８の他側方に形成される前記外枠ケース３３ａと恒温ブロック１８との間の間隙に設けられ、前記恒温ブロック１８を配設する側壁間に回転軸３５によって軸支された一枚の板材からなる第１加湿調整板２３とを有している。
【００６０】
また、前記外枠ケース３３ａには、前記恒温ブロック１８、上板３４および第１加湿調整板２３の上方に、検体を展開させるための閉空間を構成しうる展開部カバー２０が開閉自在に蝶着されている。
【００６１】
前記恒温ブロック１８の上面には、複数枚のスライドグラス１ａを並列配置可能とされており、前記スライドグラス１ａの配置位置間には、隣位するスライドガラス１ａに滴下される細胞浮遊液３の互いの侵入を排斥するセパレータ板としての機能をも有するスライドガイド２２が形成されている。
【００６２】
また、恒温ブロック１８の裏面側には、前記展開装置３３自体の脚部として前記ウォーターバス３２内に立脚されるとともに、前記恒温ブロック１８を介してスライドガラス１ａにウォーターバス３２内に貯留される適温水２９から安定な熱量を付与する熱伝導フィンからなる熱伝達部１８ｂが固着されている。
【００６３】
また、前記上板３４には、前述の第１実施形態と同様の乾燥度センサ１５が配設されている。前記第１加湿調整板２３は、前記回転軸３５の両端部を外枠ケース３３ａの対向する側壁外に突出させるようにして軸支されており、この回転軸３５の両端部に調整つまみ３６が配設されており、この調整つまみ３６を把持して回転させることにより、手動で前記第１加湿調整板３２の回転を可能とされている。
【００６４】
また、前記展開部カバー２０の天井壁２０ｂで、当該展開部カバー２０を閉状態とした状態で前記第１湿度調整板２３と対向する部分には、当該標本スライド作製装置３１の内外を連通可能とする第２湿度調整板２４がスライド自在に形成されている。また、前記天井壁２０ｂには、前記恒温ブロック１８の表面に並列載置される各スライドグラス１ａの中央部に検体となる細胞浮遊液３を滴下可能にその先端を位置させた滴下ピペット２５が配設されている。
【００６５】
また、前記ウォーターバス３２には適温水２９が貯留されており、図示しない温度調節用のヒーターによって水温を一定に保持可能とされている。
【００６６】
そして、前記熱伝導フィンからなる熱伝達部１８ｂの下端部と、展開装置３３の外枠ケース３３ａの全周下端部とが前記ウォーターバス３２に貯留された適温水内に位置するように配置されている。
【００６７】
このような構成の標本スライド作製装置３１においても、前述の実施形態と同様に、検体が適正に展開した標本スライド１を作製することができる。そして、本実施形態の標本スライド作製装置３１は既製品のウォーターバス３２を利用するため、安価なものとすることができ、また、スライドグラス１ａを複数、並列配置した構造においても小型化が図れる。
【００６８】
また、図１２および図１３に示す標本スライド作製装置４０は、遠心分離機４４を使って低張処理、カルノア固定処理を連続的に実行して細胞収穫を行い、前述したように最良固定条件の乾燥度に調整された展開環境下において、細胞あるいは染色体標本スライド作製を自動実行する装置である。前記実施形態の標本スライド装置１７と同様の部材については同符号を用い、説明を省略する。
【００６９】
本実施形態の標本スライド作製装置４０は、平面矩形状の基体４１内の側方に、検体の固定を行う恒温ブロック１８が配設されており、隣接されているスライドグラス供給カセット部４２から、スライドグラス１ａが複数枚ずつセットされたスライドカセット１ｂが恒温ブロック１８の上面に供給されるようになっている。恒温ブロック１８の奥側には、標本スライド１上に滴下される液状の検体を得る液状検体作製機構４３が配設されている。この液状検体作製機構４３は主として遠心分離機４４と液状の検体を標本スライド１上に滴下させるＸＹＺ可動型ピペット機構４５とにより形成されている。
【００７０】
一方のＸＹＺ可動型ピペット機構４５は、恒温ブロック１８と遠心分離機４４との左右両側に前後方向に平行な２本の高架レール４６を設け、両高架レール４６の間に架け渡した架橋レール４７をその両端部に設けたロール４８をもって高架レール４６上を走行自在とし、この架橋レール４７の上をロール４９をもってピペット支持走行体５０を走行自在に装着し、このピペット支持走行体５０に滴下ピペット２５を上下方向移動自在に設けて構成されている。
【００７１】
また、他方の遠心分離機４４を図１４によって説明する。
【００７２】
この遠心分離機４４はモータ等の遠心回転機構５１の回転軸５２の開放端部に回転部材５３を固定して形成されており、回転部材５３の外周部には、６個の揺動バケット５４を前記回転軸５２を中心とする円周上に等間隔に配設している。そして、前記揺動バケット５４には、スピッツ５５がそれぞれ中心軸回りに回動自在に保持されている。また、前記遠心機位置検出機構５６により各スピッツ５５が所定の停止位置に停止したことを検出するように構成されている。具体的には、前記は回転軸５２に固着されたセンサ円盤５７ａの外周に形成された図示しない停止位置マークをセンサ５７によって検出するようになされている。
【００７３】
なお、前記遠心分離機４４の周囲には、図１４に示すように、前記揺動バケット５４に保持されたスピッツ５５内に所定量の液状試薬（低張液やカルノア固定液）を注入する低張液用ピペット５８とスピッツ５５内から所定量の液状物を排出する廃液用ピペット５９とが配設されている。低張液用ピペット５８の位置には図１４に示すようにカルノア固定液用ピペット６０も配設されている。また、低張液用ピペット５８の位置の下部には、撹拌上下機構６２によって下方から上方に向かって伸延させられる把持部６１によって停止している各スピッツ５５の下端部を把持して上下動させ、前記揺動バケット５４で正逆方向に軸回転させる図示しない駆動手段を有する攪拌機構６３が配設されている。低張液用ピペット５８には低張液試薬ボトル６４内の低張液が輸送ポンプ６５によって送給される。カルノア固定液用ピペット６０には、酢酸ボトル６６内の酢酸とメタノールボトル６７内のメタノールとがそれぞれ輸送ポンプ６８および６９によって所定の比率（本実施の形態においては１：３）で搬送され、途中の２液混合部７０において混合させられて送給される。排出用ピペット５９からは廃液ポンプ７４によってスピッツ管５５内の廃液が吸い出されて廃液タンク７１内に排出される。また、廃液部分においては、廃液レベル検出器７２によってスピッツ管５５内の廃液の量を検出できるように形成されている。
【００７４】
そして、前記遠心回転機構５１、遠心機位置検出器５６、撹拌機構６３、および輸送用ポンプ６５、６８、６９は、それぞれ本標本スライド作製装置４０の制御を行う制御部７３と接続されており、前記制御部７３において各部の動作が制御される。
【００７５】
そして、本実施形態の標本スライド作製装置４０は、前記乾燥度演算ユニット１４および乾燥度制御ユニットを含む、乾燥度の自動制御装置８０を有しており、図１５はこれを模式的に示したものである。
【００７６】
この図に示すように、本実施形態の自動制御装置８０は、スライドグラス１ａを定置させる恒温ブロック１８の温度制御ループと乾燥度制御ループとからなり、温度制御ループは、恒温ブロック１８の近傍に配置された温度センサ１１、ヒータ８１およびペルチェ冷却素子８２を有する温度調節機構部８３、温度制御演算回路（温度制御演算ユニット）８４によって構成されている。また、乾燥度制御ループは、前記温度制御ループを含み、加湿用保水タンク８５、ヒータ２７、湿度センサ１２、飽和水分値を求める飽和水分値検出ユニットを含む乾燥度演算ユニット１４、および前記ヒータ８１、２７や温度調節機構部８３への通電制御を行う乾燥度制御ユニットから構成される。
【００７７】
このような構成の乾燥度自動調節装置８０を本実施形態の標本スライド作製装置４０が有することで、検体の展開環境を温度および乾燥度で自在に調整できるため、粘度の異なる細胞内液を持つ様々な有核細胞に適した標本作製の条件を提供できるものとなる。
【００７８】
次に、本実施形態の作用について、図１６乃至図１８により説明する。なお、本実施形態の標本スライド作製装置における検体の展開環境の調整は、前述した方法に準じて行うものとし、その説明は省略する。
【００７９】
図１６は、本発明の標本スライド作製装置により、標本スライドグラスを作製するための第１ステージにおける処理を示すフローであり、図１７は、第２ステージにおける処理を示すフロー、図１８は、第３ステージにおける処理を示すフローである。
【００８０】
まず、事前段階として、培養した細胞の浮遊液を前記遠心分離機４４の各揺動バケット５４に保持させる６本のスピッツ５５に移す。
【００８１】
その後、前記遠心分離機４４を駆動し、１３００回転／分で１０分間遠沈させ、前述の遠心機位置検出装置５６により、１個のスピッツ５５（以下、この１個のスピッツ５５に対する操作として説明する）を廃液用ピペット５９の位置に停止させる（ステップＳＴ１）。
【００８２】
そして、停止したスピッツ５５に対し、前記廃液用ピペット５９を、前記スピッツ５５の上方から前記スピッツ５５の内壁に当接させないようにして、前記スピッツ５５内の上澄み液層中の所定深さまで廃液レベル検出器７２を用いて挿入し、続いて、廃液ポンプ７４を駆動し、前記上澄み液（約５ｍｌ）をスピッツ５５内から吸い出して廃液タンク７１に回収する（ステップＳＴ２）。
【００８３】
そして、上澄み液の抽出が完了したら、前記廃液用ピペット５９を前記スピッツ５５内から抜き出し、続いて前記遠心機回転機構５１を駆動して前記スピッツ５５を低張液用ピペット５８の位置まで移動させて、同位置において低張液用ピペット５８から、輸送ポンプ６５を駆動させることにより、所定量の５ｍｌの低張処理液を注入し、その後スピッツ５５をすりこぎ棒のように偏心撹拌させる（ステップＳＴ３）。
【００８４】
このようにして、順次、スピッツ５５を前記回転部材５３の回転方向に１停止位置づつ移動させ、ステップＳＴ２とＳＴ３の処理を施す。
【００８５】
その後、前記回転部材５３を約１５分間停止させるとともに温度を３７℃に維持して低張処理を施す（ステップＳＴ４）。
【００８６】
その後、低張液用ピペット５８の位置における２回目の攪拌を全てのスピッツ５５に対して順に行う（ステップＳＴ５）。
【００８７】
また、２回目の攪拌が終了したスピッツ５５に対してステップＳＴ４と同様の低張処理を施す（ステップＳＴ６）。
【００８８】
その後、低張液用ピペット５８の位置においてカルノア固定液用ピペット６０から、輸送ポンプ６６、６７を駆動させることにより、第１回目の所定量の０．５ｍｌのカルノア固定液を注入し、その後スピッツ５５をすりこぎ棒のように偏心撹拌させる（ステップＳＴ７）。
【００８９】
このようにして、順次、スピッツ５５を前記回転部材５３の回転方向に１停止位置づつ移動させ、ステップＳＴ７の処理を施す。
【００９０】
その後、前記遠心分離機４４を１３００回転／分で１０分間、遠沈させる（ステップＳＴ８）。
【００９１】
次に、図１７に示すように、前記遠心分離機４４を停止した時点で、廃液用ピペット５９の位置に停止しているスピッツ５５に対し、ステップＳＴ２の手順１に回収する（ステップＳＴ９）。
【００９２】
前記スピッツ５５内から抜き出し、続いて前記遠心機回転機構５１を駆動して前記スピッツ５５を低張液用ピペット５８の位置まで移動させて、同位置においてステップＳＴ７と同様に、カルノア固定液用ピペット６０から、輸送ポンプ６６、６７を駆動させることにより、第２回目の所定量の３ｍｌのカルノア固定液を注入し、その後スピッツ５５をすりこぎ棒のように偏心撹拌させる（ステップＳＴ１０）。
【００９３】
このようにして、順次、スピッツ５５を前記回転部材５３の回転方向に１停止位置づつ移動させ、ステップＳＴ９とＳＴ１０の処理を施す。
【００９４】
全てのスピッツ５５に対し攪拌まで終了したら、前記遠心分離機４４を１３００回転／分で６分間駆動し、遠沈させる（ステップＳＴ１１）。
【００９５】
そして、前記遠心分離機４４を停止した時点で、廃液用ピペット５９の位置に停止しているスピッツ５５から、順次、ステップＳＴ９からステップＳＴ１１までの処理を３〜４回繰り返す（ステップＳＴ１２）。このとき、最終繰り返し回には、前記ステップＳＴ１０におけるカルノア固定液の注入量を１．５ｍｌとし、その後スピッツ５５をすりこぎ棒のように偏心撹拌させ（ステップＳＴ１０’）、その後、一旦停止して細胞濃度を目視検査してから、再び１．５ｍｌのカルノア固定液を注入して前記ステップＳＴ１０の要領で偏心攪拌させる（ステップＳＴ１０”）。それから、前記ステップＳＴ１１の工程に移行する。
【００９６】
そして、この最後の遠心分離が終了したら、図１８の処理に移る。
【００９７】
図１８のステップＳＴ１３において、廃液用ピペット５９の位置に停止しているスピッツ５５から、順次、前述のテップＳＴ９およびＳＴ１０における処理と同様の上澄み液の吸い出し処理を施す。
【００９８】
その後、低張液用ピペット５８の位置に停止しているスピッツ５５に対し、カルノア固定液用ピペット６０から、輸送ポンプ６６、６７を駆動させることにより、細胞浮遊液濃度調整のための最後のカルノア固定液を注入し、その後スピッツ５５をすりこぎ棒のように偏心撹拌させる（ステップＳＴ１４）。その後、ＸＹＺ可動型ピペット機構４５を作動させて滴下ピペット２５を停止しているスピッツ５５内に挿入し、同スピッツ５５内の細胞浮遊液３を滴下ピペット２５内に０．１〜１ｍｌだけ吸い込み・排出を繰り返してタッピング処理を施す（ステップＳＴ１５）。
【００９９】
その後、供給ポンプ３３を駆動し、前記細胞浮遊液３を滴下ピペット２５内に回収する（ステップＳＴ１６）。そして、ＸＹＺ可動型ピペット機構４５を駆動して滴下ピペット２５をスピッツ５５内から抜き出し、続いてＸＹＺ可動型ピペット機構４５を駆動して滴下ピペット２５を標本スライド１のスポット位置の上部にまで移動させ、その後、ＸＹＺ可動型ピペット機構４５を再び駆動させて、滴下ピペット２５の先端を標本スライド１の上面直上まで移動させる。そして、供給ポンプ３３の駆動により、スライドグラス１９上に必要数滴の細胞浮遊液３を滴下ピペット２５から滴下する（ステップＳＴ１７）。
【０１００】
このとき、展開サンプル毎に前記ステップＳＴ１３からステップＳＴ１７までの処理を全てのスピッツ５５に対して繰り返し行うこととし、１つのスピッツ５５から展開させるスライドグラス１ａの全ての細胞展開が固定するまでは、他のサンプルについては静置させておく。
【０１０１】
その後、前述したような標本スライド作製装置に配置された恒温ブロック１８により、図１に示す実施形態において説明した方法によって標本スライド１上の液状の細胞浮遊液３が良好に乾燥されて、適正形状を有するメタフェーズが形成される。
【０１０２】
このように、本実施形態によれば、標本スライド１上に滴下される液状の検体である細胞浮遊液３のカルノア液酢酸濃度を一定に保ち、精密な供給ポンプを用いて精確な滴下滴量を実現できるため、これら二つのパラメータを一定値に固定することができる。
【０１０３】
なお、本発明は、前述した実施の形態に限定されるものではなく、必要に応じて種々の変更が可能である。
【０１０４】
【発明の効果】
以上述べたように本発明に係る標本スライド作製装置は、品質が安定している標本スライドグラスの作製を自動化し、大量生産することができる等の効果を奏する。
【図面の簡単な説明】
【図１】  本発明の標本スライド作製方法における乾燥度の計測方法を示すブロック構成図
【図２】  乾燥度と細胞の広がり方を説明する説明図
【図３】  乾燥度が高い場合の細胞の広がり方を示す説明図
【図４】  図３の場合に得られる標本スライド例
【図５】  乾燥度が最適な場合の細胞の広がり方を示す説明図
【図６】  図５の場合に得られる標本スライド例
【図７】  乾燥度が低い場合に得られる標本スライド例
【図８】  本発明の標本スライド作製装置の第１実施形態を示す断面図説明図
【図９】  本発明の標本スライド作製装置の第２実施形態を示す要部平面説明図
【図１０】  図９の標本スライド作製装置のＸ−Ｘ断面図
【図１１】  図９の標本スライド作製装置のＸＩ−ＸＩ断面図
【図１２】  本発明の標本スライド作製装置の第３実施形態を示す断面図説明図
【図１３】  図１２の標本スライド作製装置の要部平面図
【図１４】  本発明の標本スライド作製装置の第３実施形態における遠心分離器の構造を示す説明図
【図１５】  本発明の標本スライド作製装置の第３実施形態における乾燥度自動制御装置の構造を示す説明図
【図１６】  第３実施形態の標本スライド作製装置により、標本スライドグラスを作製するための第１ステージにおける処理を示すフローチャート
【図１７】  同、第２ステージにおける処理を示すフローチャート
【図１８】  同、第２ステージにおける処理を示すフローチャート
【図１９】  従来の細胞浮遊液を固定する方法（火炎固定法）を示す概略図
【図２０】  従来の細胞浮遊液を固定する方法（蒸気固定法）を示す概略図
【図２１】  従来の細胞浮遊液を固定する方法（ホットプレート固定法）を示す概略図
【図２２】  従来の細胞浮遊液を固定する方法（自然乾燥固定法）を示す概略図
【符号の説明】
１  標本スライド
１ａ  スライドグラス
１ｂ  スライドカセット
２  ピペット
３  細胞浮遊液
４  滴下
５  バーナ
６  加熱器
７  容器
８  蒸気
９  ホットプレート
１０  濡れ紙タオル
１１  温度センサ
１２  湿度センサ
１３  飽和水分値検出ユニット
１４  乾燥度演算ユニット
１５  乾燥度センサ
１６  表示器
１７  標本スライド作製装置
１８  恒温ブロック
１８ａ  本体
１８ｂ  熱伝達部
１９  面板
２０  展開部カバー
２０ｂ  天井壁
２１  加熱手段
２２  スライドガイド
２３  第１湿度調整板
２４  第２湿度調整板
２５  滴下ピペット
２６  貯留槽
２７  ヒータ
２７ａ  タイマ
２８  排水用コック
２９  適温水
３１  （第２実施形態の）標本スライド作製装置
３２  ウォーターバス
３３  展開装置
３３ａ  外枠ケース
３４  上板
３５  回転軸
３６  調整つまみ
４０  （第３実施形態の）標本スライド作製装置
４１  基体
４２  スライドグラス供給カセット部
４３  液状検体作製機構
４４  遠心分離機
４５  ＸＹＺ可動型ピペット機構
４６  高架レール
４７  架橋レール
４８  ロール
４９  ロール
５０  ピペット支持走行体
５１  遠心回転機構
５２  回転軸
５３  回転部材
５４  揺動バケット
５５  スピッツ
５６  遠心機位置検出機構
５７  センサ
５７ａ  円盤
５８  低張液用ピペット
５９  廃液用ピペット
６０  カルノア固定液用ピペット
６１  把持部
６２  撹拌上下機構
６３  撹拌機構
６４  低張液試薬ボトル
６５  輸送ポンプ
６６  酢酸ボトル
６７  メタノールボトル
６８  輸送ポンプ
６９  輸送ポンプ
７０  ２液混合部
７１  廃液タンク
７２  廃液レベル検出器
７３  制御部
７４  廃液ポンプ
８０  乾燥度自動制御装置
８１  （恒温ブロックの）ヒータ
８２（恒温ブロックの）ベルチェ冷却素子
８３  温度調節機構部
８４  温度制御演算ユニット
８５  加湿用保水タンク
【図１】
0003652306.tif 000002
【図２】
0003652306.tif 000003
【図３】
0003652306.tif 000004
【図４】
0003652306.tif 000005
【図５】
0003652306.tif 000006
【図６】
0003652306.tif 000007
【図７】
0003652306.tif 000008
【図８】
0003652306.tif 000009
【図９】
0003652306.tif 000010
【図１０】
0003652306.tif 000011
【図１１】
0003652306.tif 000012
【図１２】
0003652306.tif 000013
【図１３】
0003652306.tif 000014
【図１４】
0003652306.tif 000015
【図１５】
0003652306.tif 000016
【図１６】
0003652306.tif 000017
【図１７】
0003652306.tif 000018
【図１８】
0003652306.tif 000019
【図１９】
0003652306.tif 000020
【図２０】
0003652306.tif 000021
【図２１】
0003652306.tif 000022
【図２２】
0003652306.tif 000023